(57)【要約】【課題】効果的に痩身を図ることができる痩身用マウスピースを提供する。【解決手段】痩身用マウスピース１５は、装着者の歯牙を覆う歯牙部２３と、歯牙部２３を支持する床部３３とを備え、歯牙部２３と床部３３とが一体的に形成されている。痩身用マウスピース１５は、床部３３の口蓋部３３ｂは、装着者の口蓋から下方に向けて膨らむ形状に形成されていると共に、両頬側に延びる溝３３ｃが形成されている。口蓋部３３ｂが、装着者の口蓋から下方に向けて膨らむ形状に形成されているため、舌の運動が阻害されるので、食物を飲み込むために、しっかりと咀嚼することになる。また、口蓋部３３ｂには、両頬側に延びる溝３３ｃが形成されているため、咀嚼された食物が口蓋部３３ｂの溝３３ｃにより折り返されて、口腔内に戻されるので、しっかりと食物を咀嚼することになるため、咀嚼回数が通常より増える。【選択図】図１０
2018140167.tif 000002
【特許請求の範囲】
【請求項１】
装着者の歯牙を覆う歯牙部と、前記歯牙部を支持する床部とを備え、
前記床部の口蓋部は、前記装着者の口蓋から下方に向けて膨らむ形状に形成されていると共に、両頬側に延びる溝が形成されている痩身用マウスピース。
【請求項２】
前記歯牙部は、前記装着者の臼歯を覆うものである請求項１記載の痩身用マウスピース。
【請求項３】
前記歯牙部には、前記装着者の咬頭を露出させる貫通孔が形成されている請求項２記載の痩身用マウスピース。
【請求項４】
前記床部には、前記装着者の中切歯、側切歯および犬歯のうち、一部または全部を露出させる切り欠き部が形成されている請求項１から３のいずれかの項に記載の痩身用マウスピース。
【請求項５】
前記歯牙部の咬合面が平坦面に形成された請求項１から４のいずれかの項に記載の痩身用マウスピース。
【請求項６】
前記歯牙部と隣接する前記歯牙部とのそれぞれの前記咬合面は、繋がった平坦面に形成されている請求項５記載の痩身用マウスピース。
【発明の詳細な説明】
【技術分野】
【０００１】
本発明は、食事の際に咀嚼回数を増加させることで、エネルギー消費を増加させると共に、早期に満腹感を得ることができる痩身用マウスピースに関するものである。
【背景技術】
【０００２】
痩身は、女性、男性を問わず関心がある。痩身には様々な方法が知られているが、食事の際に噛み難くすることで咀嚼回数を増加させ、エネルギー消費を増加させると共に、早期に満腹感を得ることができる痩身用マウスピースが提案されている（例えば、特許文献１参照。）。
【０００３】
特許文献１に記載のダイエット用口腔装着具は、上方に盛り上がった床部と、その右端縁及び左端縁に突設された「Ｌ」字形の複数のワイヤとによって構成され、これらワイヤを上歯に係合させ、上面を口腔内の硬口蓋に密着させ、しっかりと口腔内に装着させるというものである。
【０００４】
この特許文献１に記載のダイエット用口腔装着具によれば、床部によって口腔内の容積が減少されるので、１度に口腔内に入れられる食物の量が減り、また、床部によって食物の咀嚼時、嚥下時の舌の運動が阻害されるので、食物を飲み込むためには、よく噛むことが必要になるため、よく噛むことで、咬筋の運動が活発になり、満腹中枢が刺激されるので、少ない量で満腹感を得ることができる。
【先行技術文献】
【特許文献】
【０００５】
【特許文献１】特開２００８−１０４５２５号公報
【発明の概要】
【発明が解決しようとする課題】
【０００６】
特許文献１に記載のダイエット用口腔装着具では、床部によって口腔内の狭くして、口腔内に入れられる１回の食物の量を減らしているが、装着者が食物をある程度の咀嚼で飲み込めば、口腔内に入れられる１回の食物の量は減っても、食事全体の咀嚼回数を増やせない。
従って、特許文献１に記載のダイエット用口腔装着具では、食事量はそのままの状態で、咀嚼されない状態の食物を胃や腸で消化させることになるので、効果的な痩身が図りにくく、胃や腸への負担も大きくなるおそれがある。
【０００７】
そこで本発明は、効果的に痩身を図ることができる痩身用マウスピースを提供することを目的とする。
【課題を解決するための手段】
【０００８】
本発明の痩身用マウスピースは、装着者の歯牙を覆う歯牙部と、前記歯牙部を支持する床部とを備え、前記歯牙部の咬合面が平坦面に前記床部の口蓋部は、前記装着者の口蓋から下方に向けて膨らむ形状に形成されていると共に、両頬側に延びる溝が形成されていることを特徴とする。
【０００９】
本発明の痩身用マウスピースによれば、装着者の歯牙を覆う歯牙部と、前記歯牙部を支持する床部とを備えているため、装着者の口腔内に装着した状態で食事を取ることができる。口蓋部は、前記装着者の口蓋から下方に向けて膨らむ形状に形成されているため、口蓋部により、食物の咀嚼のときに、舌の運動が阻害されるので、食物を飲み込むために、しっかりと咀嚼することになり、更に、装着者は咀嚼回数が増加する。また、口蓋部には、両頬側に延びる溝が形成されているため、装着者が、口腔内に装着した状態で食事を取ると、咀嚼された食物が口蓋部の溝により折り返されて、口腔内に戻される。そのため、装着者は、仕方なく、再度、この食物を咀嚼することになる。従って、装着者がしっかりと食物を咀嚼することになるため、咀嚼回数が通常より増える。
【００１０】
前記歯牙部が、前記装着者の臼歯を覆うものであると、歯牙部が直径の大きい臼歯にしっかりと被さるため、保持力を向上させることができる。
【００１１】
前記歯牙部に、前記装着者の咬頭を露出させる貫通孔が形成されていると、食物を噛み砕くときに、装着者の露出した臼歯の咬頭が噛み合わされることで、歯牙部への咬合力を緩和させることができる。
【００１２】
前記床部には、前記装着者の中切歯、側切歯および犬歯のうち、一部または全部を露出させる切り欠き部が形成されていると、食事をする際に、装着者の前歯によって食物が噛み切られるため、痩身用マウスピースへの負担を軽減することができる。
【００１３】
前記歯牙部の咬合面が平坦面に形成されていると、咀嚼によって食物を噛み砕いたり、磨り潰したりすることが困難になるので、装着者がしっかりと咀嚼しないと食物を噛み砕くことができない。従って、装着者は、食物をある程度小さく噛み砕いた状態にするだけでも、咀嚼回数が通常より増える。
【００１４】
前記歯牙部と隣接する前記歯牙部とのそれぞれの前記咬合面は、繋がった平坦面に形成されていると、歯牙同士が平坦面により繋がり、歯間が塞がった状態である。従って、咀嚼の際に歯間に食物が入り込むことが無いため、従って、装着者は、咬合面に食物を位置させた状態で、しっかりと平らな咬合面により食物を咀嚼することができる。
【発明の効果】
【００１５】
本発明によれば、咀嚼回数を確実に増加させることができるため、咀嚼のためのエネルギー消費が増加し、増えた咀嚼によって早い段階で満腹感が得られるので、効果的に痩身を図ることができる。
【図面の簡単な説明】
【００１６】
【図１】本発明の実施の形態１に係る痩身用マウスピースの斜視図である。
【図２】装着者から採得した印象模型の平面図である。
【図３】図２に示す印象模型を加工した転写用印象模型の平面図である。
【図４】本発明の実施の形態２に係る痩身用マウスピースの斜視図である。
【図５】図４に示す痩身用マウスピースを嵌合した状態の右頬側の断面図である。
【図６】（Ａ）および（Ｂ）は、図４に示す痩身用マウスピースの嵌合面の変形例である。
【図７】本発明の実施の形態３に係る痩身用マウスピースであって、斜め下方から見た上顎用の痩身用マウスピースの斜視図と、斜め上方から見た下顎用の痩身用マウスピースの斜視図である。
【図８】本発明の実施の形態４に係る痩身用マウスピースを正面下方から見た斜視図である。
【図９】図８に示す痩身用マウスピースの断面図である。
【図１０】本発明の実施の形態５に係る痩身用マウスピースを裏側から見た斜視図である。
【図１１】図１０に示す痩身用マウスピースの断面図である。
【図１２】本発明の実施の形態６に係る痩身用マウスピースを示す斜視図である。
【図１３】本発明の実施の形態７に係る痩身用マウスピースの斜視図である。
【図１４】本発明の実施の形態８に係る痩身用マウスピースの斜視図である。
【発明を実施するための形態】
【００１７】
（実施の形態１）
本発明の実施の形態１に係る痩身用マウスピースについて、図面に基づいて説明する。
図１に示す痩身用マウスピース１１は、痩身を希望する装着者が食事を取る際に装着するものである。痩身用マウスピース１１は、歯科用樹脂により成形された下顎用のマウスピースである。
図１に示す痩身用マウスピース１１は下顎用であるが、図示しない上顎用の痩身用マウスピースも痩身用マウスピース１１と対称形状により形成され、これらは組み合わせ使用される。
痩身用マウスピース１１は、装着者の歯牙を覆う歯牙部２１と、歯牙部２１を支持する床部３１とを備え、歯牙部２１と床部３１とが一体的に形成されている。
【００１８】
歯牙部２１は、中切歯Ｔ１、側切歯Ｔ２、犬歯Ｔ３、第１小臼歯Ｔ４、第２小臼歯Ｔ５、第１大臼歯Ｔ６、第２大臼歯Ｔ７を備えている。歯牙部２１は、第１小臼歯Ｔ４、第２小臼歯Ｔ５、第１大臼歯Ｔ６および第２大臼歯Ｔ７のそれぞれの咬合面Ｓ１〜Ｓ４が平坦面に形成されている。本実施の形態では、臼歯（第１小臼歯Ｔ４，第２小臼歯Ｔ５，第１大臼歯Ｔ６，第２大臼歯Ｔ７）の全部の咬合面Ｓ１〜Ｓ４が繋がって、一つの平坦面Ｓを構成している。
【００１９】
この痩身用マウスピース１１は、次のようにして作製される。なお、以下の説明では、歯科医師および歯科技工士を作製者として説明する。
まず、作製者は、装着者の口腔から凹型となる印象模型を作製し、凹型から凸型となる印象模型Ｍ（図２参照）を作製する。作製者は、このようにして装着者から採得された印象模型Ｍの歯牙の内、第１小臼歯ａ、第２小臼歯ｂ、第１大臼歯ｃおよび第２大臼歯ｄのそれぞれの咬合面を平坦面に加工して、図３に示す転写用印象模型Ｍ１を作製する。このとき、作製者は、第１小臼歯ａ、第２小臼歯ｂ、第１大臼歯ｃおよび第２大臼歯ｄの歯冠部を切削するだけでなく、歯間の隙間を埋めて臼歯の平坦面Ｓｍを繋げる。
【００２０】
そして、作製者は、痩身用マウスピース１１となる歯科用樹脂により形成された板材（図示せず）を加熱により軟化させ、転写用印象模型Ｍ１に、型押しして、転写用印象模型の形状を板材に転写する。
最後に、作製者は、転写用印象模型に密着した部分以外の余った板材を除去し、転写用印象模型から転写された板材を取り外すことで、装着者の歯牙を覆う歯牙部２１と、歯牙部２１を支持する床部３１とを備えた痩身用マウスピース１１が作製される。
【００２１】
このように、咬合面Ｓ１〜Ｓ４を平坦面Ｓｍとした転写用印象模型Ｍ１を作製することにより、転写用印象模型Ｍ１の形状に痩身用マウスピース１１を作製することができる。
【００２２】
上記製造方法では、印象模型Ｍから咬合面を平坦面にした転写用印象模型Ｍ１を予め作製していたが、印象模型Ｍに板材を型押しして歯列の状態を転写してできたマウスピースを作製した後、マウスピースの歯牙部の咬合面に、レジンなどの成型材を築盛することで、咬合面を平坦面にした痩身用マウスピース１１を作製するようにしてもよい。そうすることで、痩身用マウスピース１１の凹部となる歯列の状態は、装着者の歯列に一致しているので、痩身用マウスピース１１を装着したときに、痩身用マウスピース１１をしっかりと保持することができる。
【００２３】
このように痩身用マウスピース１１が構成されていることで、装着者の口腔内に装着した状態で食事を取ったときに、歯牙部２１の咬合面Ｓ１〜Ｓ４が平坦面Ｓに形成されているため、咀嚼によって食物を噛み砕いたり、磨り潰したりすることが困難になるので、装着者がしっかりと咀嚼しないと食物を噛み砕くことができない。従って、装着者が、食物をある程度小さく噛み砕いた状態にするだけでも、咀嚼回数が通常より増えるので、咀嚼のためのエネルギー消費が増加し、増えた咀嚼によって早い段階で満腹感が得られる。
【００２４】
また、それぞれが隣接する第１小臼歯Ｔ４，第２小臼歯Ｔ５，第１大臼歯Ｔ６，第２大臼歯Ｔ７のそれぞれの咬合面Ｓ１〜Ｓ４は、繋がった平坦面Ｓであるため、第１小臼歯Ｔ４と第２小臼歯Ｔ５歯間との間、第２小臼歯Ｔ５と第１大臼歯Ｔ６との間、第１大臼歯Ｔ６，第２大臼歯Ｔ７との間は、塞がった状態である。
従って、咀嚼の際に歯間に食物が入り込むことが無いため、装着者は、咬合面Ｓ１〜Ｓ４に食物を位置させた状態で、しっかりと平らな咬合面により食物を咀嚼することができる。
【００２５】
歯牙部２１が、装着者の臼歯（第１小臼歯Ｔ４，第２小臼歯Ｔ５，第１大臼歯Ｔ６，第２大臼歯Ｔ７）を覆うものであるため、歯牙部２１が直径の大きい臼歯にしっかりと被さるので、痩身用マウスピース１１の保持力を向上させることができる。また、痩身用マウスピース１１は、中切歯Ｔ１、側切歯Ｔ２、犬歯Ｔ３を覆う歯牙部２１を備えているため、更に、咀嚼した際の安定性を向上させることができる。
【００２６】
（実施の形態２）
本発明の実施の形態２に係る痩身用マウスピースについて、図面に基づいて説明する。
図４および図５に示す痩身用マウスピース１２ａは、下顎用マウスピースであり、痩身用マウスピース１２ｂは、上顎用マウスピースである。これらは、歯科用樹脂により成形されている。図４に示す痩身用マウスピース１２ａは下顎用であるが、上顎用の痩身用マウスピース１２ｂも対称形状により形成されている。痩身用マウスピース１２ａ，１２ｂは、組み合わせて使用される。
【００２７】
痩身用マウスピース１２ａ，１２ｂは、装着者の歯牙を覆う歯牙部２２と、歯牙部２２を支持する床部３１とを備え、歯牙部２２と床部３１とが一体的に形成されている。なお、上顎用の痩身用マウスピース１２ｂは、全体を図示していないが、下顎用の痩身用マウスピース１２ａと同様である。
【００２８】
痩身用マウスピース１２ａ，１２ｂは、歯牙部２２が向き合うそれぞれの咬合面Ｓ１〜Ｓ４に、互いが嵌合する凹凸が形成されている。本実施の形態２では、第１小臼歯Ｔ４，第２小臼歯Ｔ５，第１大臼歯Ｔ６，第２大臼歯Ｔ７のそれぞれの咬合面Ｓ１〜Ｓ４が繋がって、凹凸として１本のＶ字状の溝面Ｇに形成されている。
【００２９】
この痩身用マウスピース１２ａ，１２ｂは、次のようにして作製される。
装着者から採得した上顎と下顎との印象模型から転写用印象模型を作製するときに、作製者は、上顎および下顎の対向する歯牙が噛み合う咬合面を、まず平坦面にすると共に、歯間の隙間を埋めて臼歯の平坦面を繋げた後に、Ｖ字状の溝面を形成する。本実施の形態２では、上顎および下顎のそれぞれの第１小臼歯、第２小臼歯、第１大臼歯および第２大臼歯の咬合面に溝面を形成している。
次に、作製者は、痩身用マウスピース１２ａ，１２ｂとなる歯科用樹脂により形成された板材を加熱により軟化させ、転写用印象模型に、型押しして、転写用印象模型の形状を板材に転写する。
そして、作製者は、転写用印象模型に密着した部分以外の余った板材を除去し、転写用印象模型から転写された板材を取り外すことで、装着者の歯牙を覆う歯牙部２２と、歯牙部２２を支持する床部３１とを備えた痩身用マウスピース１２ａ，１２ｂが作製される。
【００３０】
このように、咬合面Ｓ１〜Ｓ４をＶ字状の溝面Ｇとした転写用印象模型Ｍ１を作製することにより、転写用印象模型Ｍ１の形状に痩身用マウスピース１２ａ，１２ｂを作製することができる。
【００３１】
上記製造方法では、印象模型から咬合面を凹凸とした転写用印象模型を予め作製していたが、印象模型に板材を型押しして歯列の状態を転写してできたマウスピースを作製した後、マウスピースの歯牙部の咬合面を切削するなどの加工を施して、咬合面を凹凸とした痩身用マウスピース１２ａ，１２ｂを作製するようにしてもよい。そうすることで、痩身用マウスピース１２ａ，１２ｂの凹部となる歯列の状態は、装着者の歯列に一致しているので、痩身用マウスピース１２ａ，１２ｂを装着したときに、痩身用マウスピース１２ａ，１２ｂをしっかりと保持することができる。
【００３２】
このように痩身用マウスピース１２ａ，１２ｂが構成されていることで、装着者の口腔内に装着した状態で食事を取ったときに、互いが嵌合するＶ字状の溝面Ｇが、歯牙部２２の向き合うそれぞれの咬合面Ｓ１〜Ｓ４に形成されているため、咀嚼による食物の磨り潰しが困難になるので、装着者がしっかりと咀嚼しないと食物を噛み砕くことができない。従って、装着者が、食物をある程度小さく噛み砕いた状態にするだけでも、咀嚼回数が通常より増えるので、咀嚼のためのエネルギー消費が増加し、増えた咀嚼によって早い段階で満腹感が得られる。
【００３３】
なお、本実施の形態２では、凹凸を１本のＶ字状の溝面Ｇとしていたが、凹凸は、図６（Ａ）に示すように複数のＶ字状の溝面Ｇとしたり、図６（Ｂ）に示す直線状凸部Ｇ１と直線状凹部Ｇ２とに組み合わせしたりすることができる。
【００３４】
（実施の形態３）
本発明の実施の形態３に係る痩身用マウスピースについて、図面に基づいて説明する。
図７に示す痩身用マウスピース１３ａは、下顎用マウスピースであり、痩身用マウスピース１３ｂは、上顎用マウスピースである。これらは、歯科用樹脂により成形されている。
痩身用マウスピース１３ａ，１３ｂは、装着者の歯牙を覆う歯牙部２３と、歯牙部２３を支持する床部３１とを備え、歯牙部２３と床部３１とが一体的に形成されている。
【００３５】
痩身用マウスピース１３ａ，１３ｂには、歯牙部２３の向き合うそれぞれの咬合面Ｓ１〜Ｓ４に、同じ磁極が向き合う一対の磁石ＭＧが配置されている。同じ磁極としては、例えば、Ｎ極同士、またはＳ極同士とすることができる。
【００３６】
この痩身用マウスピース１３ａ，１３ｂの磁石ＭＧは、図２に示す印象模型から痩身用マウスピース１３ａ，１３ｂを作製するときに、歯科用樹脂により形成された板材を２枚準備し、その２枚の板材の第１小臼歯Ｔ４、第２小臼歯Ｔ５、第１大臼歯Ｔ６，第２大臼歯Ｔ７に対応する位置に、磁石ＭＧを配置して、印象模型の形状を転写する。
そうすることで、磁石ＭＧを歯牙部２３内に配置することができる。
【００３７】
上記製造方法では、２枚の板材の間に磁石を配置して、この２枚の板材に印象模型を型押しして、印象模型の形状を転写していたが、印象模型に板材を型押しして歯列の状態を転写してできたマウスピースを作製した後、咬合面に磁石ＭＧを配置するようにしてもよい。
そうすることで、上顎および下顎の痩身用マウスピース１３ａ，１３ｂの咬合状態を見ながら磁石を咬合面に配置することができるので、磁石を正確に配置することができる。
【００３８】
このように、痩身用マウスピース１３ａ，１３ｂが構成されていることで、歯牙部２３の向き合うそれぞれの咬合面Ｓ１〜Ｓ４に、同じ磁極が向き合う一対の磁石ＭＧが配置されているため、一対の磁石ＭＧが反発し合うことで、咀嚼によって食物を噛み砕いたり、磨り潰したりすることが困難になるので、装着者がしっかりと咀嚼しないと食物を噛み砕くことができない。従って、装着者は、食物をある程度小さく噛み砕いた状態にするだけでも、咀嚼回数が通常より増えるので、咀嚼のためのエネルギー消費が増加し、増えた咀嚼によって早い段階で満腹感が得られる。
【００３９】
（実施の形態４）
本発明の実施の形態４に係る痩身用マウスピースについて、図面に基づいて説明する。
図８および図９に示す痩身用マウスピース１４は、歯科用樹脂により成形された上顎用のマウスピースである。
痩身用マウスピース１４は、装着者の歯牙を覆う歯牙部２３と、歯牙部２３を支持する床部３２とを備え、歯牙部２３と床部３２とが一体的に形成されている。
【００４０】
床部３２は、アーチ状の歯肉部３２ａと、装着者の口蓋に位置する口蓋部３２ｂとを備えている。口蓋部３２ｂの後端には、食道入口を狭くする垂下部３２ｃが形成されている。
垂下部３２ｃが口蓋部３２ｂに形成されていることで、装着者が、この痩身用マウスピース１４を口腔内に装着した状態で食事を取ると、咀嚼された食物が垂下部３２ｃにより折り返されて、口腔内に戻される。そのため、装着者は、仕方なく、再度、この食物を咀嚼することになる。従って、装着者がしっかりと食物を咀嚼することになるため、咀嚼回数が通常より増えるので、咀嚼のためのエネルギー消費が増加し、増えた咀嚼によって早い段階で満腹感が得られる。
【００４１】
（実施の形態５）
本発明の実施の形態５に係る痩身用マウスピースについて、図面に基づいて説明する。  図１０および図１１に示す痩身用マウスピース１５は、歯科用樹脂により成形された上顎用のマウスピースである。痩身用マウスピース１５は、装着者の歯牙を覆う歯牙部２３と、歯牙部２２を支持する床部３３とを備え、歯牙部２３と床部３３とが一体的に形成されている。なお、図１０においては、痩身用マウスピース１５を裏側から見た状態である。
【００４２】
床部３３は、アーチ状の歯肉部３３ａと、装着者の口蓋に位置する口蓋部３３ｂとを備えている。口蓋部３３ｂは、装着者の口蓋から下方に向けて膨らむ形状に形成されていると共に、両頬側に延びる溝３３ｃが形成されている。
口蓋部３３ｂが、装着者の口蓋から下方に向けて膨らむ形状に形成されているため、口蓋部３３ｂにより、食物の咀嚼のときに、舌の運動が阻害されるので、食物を飲み込むために、しっかりと咀嚼することになり、更に、装着者は咀嚼回数が増加する。また、口蓋部３３ｂには、両頬側に延びる溝３３ｃが形成されているため、装着者が、口腔内に装着した状態で食事を取ると、咀嚼された食物が口蓋部３３ｂの溝３３ｃにより折り返されて、口腔内に戻される。そのため、装着者は、仕方なく、再度、この食物を咀嚼することになる。従って、装着者がしっかりと食物を咀嚼することになるため、咀嚼回数が通常より増える。
【００４３】
（実施の形態６）
本発明の実施の形態６に係る痩身用マウスピースについて、図面に基づいて説明する。  図１２に示す痩身用マウスピース１６は、歯科用樹脂により成形された上顎用のマウスピースである。図１２に示す痩身用マウスピース１６は、図１に示す実施の形態１に係る下顎用の痩身用マウスピース１と組み合わせて使用される。
痩身用マウスピース１６は、装着者の歯牙を覆う歯牙部２１と、歯牙部２１を支持する床部３４とを備え、歯牙部２１と床部３４とが一体的に形成されている。
【００４４】
床部３４は、アーチ状の歯肉部３４ａと、装着者の口蓋に位置する口蓋部３４ｂとを備えている。
痩身用マウスピース１６は、実施の形態１に係る痩身用マウスピースと同様に、第１小臼歯Ｔ４、第２小臼歯Ｔ５、第１大臼歯Ｔ６および第２大臼歯Ｔ７の咬合面Ｓ１〜Ｓ４が平坦面Ｓに形成されているだけでなく、口蓋部３４ｂが、装着者の口蓋から下方に向けて膨らむ形状に形成されている。
【００４５】
このように、痩身用マウスピース１６が構成されていることで、口蓋部３４ｂにより、食物の咀嚼のときに、舌の運動が阻害されるので、食物を飲み込むために、しっかりと咀嚼することになる。また、歯牙部２１の咬合面Ｓ１〜Ｓ４が平坦面Ｓに形成されているため、咀嚼によって食物を噛み砕いたり、磨り潰したりすることが困難になるので、装着者がしっかり咀嚼しないと食物を噛み砕くことができない。従って、装着者が、食物をある程度小さく噛み砕いた状態にするだけでも、咀嚼回数が通常より増えるので、咀嚼のためのエネルギー消費が増加し、増えた咀嚼によって早い段階で満腹感が得られる。
よって、痩身用マウスピース１６では、口蓋部３４ｂが膨らんでいることによる効果と咬合面Ｓ１〜Ｓ４が平坦面Ｓに形成されている効果を複合的に得ることができる。
【００４６】
なお、本実施の形態６では、口蓋部が膨らんだ形状に形成されていることと、実施の形態１の咬合面が平坦面に形成されていることを組み合わせているが、実施の形態２〜４の痩身用マウスピースに、膨らんだ口蓋部を組み合わせてもよい。
【００４７】
（実施の形態７）
本発明の実施の形態７に係る痩身用マウスピースについて、図面に基づいて説明する。  図１３に示す痩身用マウスピース１７は、歯科用樹脂により成形された下顎用のマウスピースである。痩身用マウスピース１７は、図１に示す実施の形態１に係る痩身用マウスピース１１と同様に、装着者の臼歯（第１小臼歯Ｔ４，第２小臼歯Ｔ５，第１大臼歯Ｔ６，第２大臼歯Ｔ７）を覆う歯牙部２１の咬合面が平坦面Ｓに形成されている。
図１３に示す痩身用マウスピース１７は下顎用であるが、上顎用の痩身用マウスピースも、痩身用マウスピース１７と対称形状により形成され、これらは組み合わせ使用される。
【００４８】
実施の形態７では、平坦面Ｓが形成された歯牙部２１に、装着者の臼歯が挿入されたときに、装着者の臼歯の咬頭を露出させる貫通孔２１ｈが形成されている。
歯牙部２１に平坦面Ｓが形成されていることで、磨り潰したりすることが困難となる一方、歯牙部２１の平坦面Ｓに貫通孔２１ｈが形成されていることで、食物を噛み砕くときに、装着者の露出した臼歯の咬頭が噛み合わされることで、歯牙部２１への咬合力を緩和させることができる。
従って、痩身用マウスピース１７への負担が軽減できるので、装着者が食物をしっかりと噛み砕こうと咀嚼したときに、歯牙部２１に亀裂が生じたり、割れが生じたりすることを防止することができる。
【００４９】
本実施の形態７では、歯牙部２１に平坦面Ｓが形成された（実施の形態１に係る痩身用マウスピース１１（図１参照））に貫通孔２１ｈが形成されているが、図４および図５に示す実施の形態２に係る痩身用マウスピース１２ａ，１２ｂ、図７に示す実施の形態３に係る痩身用マウスピース１３ａ，１３ｂ、図８に示す実施の形態４に係る痩身用マウスピース１４、図１０に示す実施の形態５に係る痩身用マウスピース１５、図１２に示す実施の形態６に係る痩身用マウスピース１６の歯牙部２１に、装着者の臼歯の咬頭を露出させる貫通孔２１ｈが形成されていてもよい。
【００５０】
（実施の形態８）
本発明の実施の形態８に係る痩身用マウスピースについて、図面に基づいて説明する。  図１４に示す痩身用マウスピース１８は、歯科用樹脂により成形された下顎用のマウスピースである。痩身用マウスピース１８は、図１に示す実施の形態１に係る痩身用マウスピース１１と同様に、装着者の臼歯（第１小臼歯Ｔ４，第２小臼歯Ｔ５，第１大臼歯Ｔ６，第２大臼歯Ｔ７）を覆う歯牙部２１の咬合面が平坦面Ｓに形成されている。
図１４に示す痩身用マウスピース１８は下顎用であるが、上顎用の痩身用マウスピースも、痩身用マウスピース１８と対称形状により形成され、これらは組み合わせ使用される。
【００５１】
痩身用マウスピース１８には、装着者の中切歯、側切歯、犬歯を挿入させる歯牙部が無く、これらの前歯を露出させるための切り欠き部３１ｈが床部３１に形成されている。
切り欠き部３１ｈが床部３１に形成されていることで、装着者の前歯（中切歯、側切歯、犬歯）は、床部３１から露出するため、食事をする際に、装着者の前歯によって食物が噛み切られるため、痩身用マウスピース１８への負担を軽減することができるので、床部３１に亀裂が生じたり、割れが生じたりすることを防止することができる。
【００５２】
本実施の形態８では、痩身用マウスピース１８の床部３１に、装着者の前歯（中切歯、側切歯、犬歯）の全部を露出させる切り欠き部３１ｈが形成されていたが、装着者の中切歯、側切歯または犬歯のうち、一部を露出させるようにしてもよい。例えば、左右の１番の中切歯だけを露出させたり、左右の１番および２番の中切歯、側切歯だけを露出させたりするようにしても、露出した前歯同士により食物を噛み切ることができるので、痩身用マウスピース１７への負担を軽減することができる。
【００５３】
また、本実施の形態８では、歯牙部２１に平坦面Ｓが形成された（実施の形態１に係る痩身用マウスピース１１（図１参照））に、切り欠き部３１ｈが形成されているが、実施の形態７と同様に、実施の形態２〜７に係る痩身用マウスピースに、切り欠き部３１ｈが形成されていてもよい。
【００５４】
なお、実施の形態１〜８に係る痩身用マウスピースは、総義歯のように、装着者の上顎および下顎の全部の歯牙を覆う歯牙部２１を有しているが、部分義歯のように、一部の歯牙を覆うような歯牙部２１としてもよい。
【産業上の利用可能性】
【００５５】
本発明は、食事の際に咀嚼回数を増加させることで、エネルギー消費を増加させると共に、早期に満腹感を得ることができるので、効果的に痩身を図ることができる痩身用マウスピースに好適である。
【符号の説明】
【００５６】
１１，１２ａ，１２ｂ，１３ａ，１３ｂ，１４，１５，１６，１７，１８  痩身用マウスピース
２１，２２，２３  歯牙部
２１ｈ  貫通孔
３１，３２，３３，３４  床部
３２ａ，３３ａ，３４ａ  歯肉部
３２ｂ，３３ｂ，３４ｂ口蓋部
３２ｃ  垂下部
３３ｃ  溝
Ｓ，Ｓｍ  平坦面
Ｇ  溝面
Ｇ１  直線状凸部
Ｇ２  直線状凹部
ＭＧ  磁石
Ｓ１〜Ｓ４  咬合面
Ｔ１  中切歯
Ｔ２  側切歯
Ｔ３  犬歯
Ｔ４，ａ  第１小臼歯
Ｔ５，ｂ  第２小臼歯
Ｔ６，ｃ  第１大臼歯
Ｔ７，ｄ  第２大臼歯
Ｍ  印象模型
Ｍ１  転写用印象模型
【図１】
2018140167.tif 000003
【図２】
2018140167.tif 000004
【図３】
2018140167.tif 000005
【図４】
2018140167.tif 000006
【図５】
2018140167.tif 000007
【図６】
2018140167.tif 000008
【図７】
2018140167.tif 000009
【図８】
2018140167.tif 000010
【図９】
2018140167.tif 000011
【図１０】
2018140167.tif 000012
【図１１】
2018140167.tif 000013
【図１２】
2018140167.tif 000014
【図１３】
2018140167.tif 000015
【図１４】
2018140167.tif 000016